(57)【要約】【課題】正面から見ても、フロントキャビネットの底部に、穴が見えず、見栄えの良い液晶テレビジョン受像機を提供する。【解決手段】フロントキャビネット１０２のリアキャビネット１０３に接続する側の縁部近傍箇所には、左右方向で対向する一対のリブ壁１０８、１０９に挟まれた空間として、後方のブッシュ部収容部１０６ａと前方のコード案内部１０６ｂとから構成される凹部１０６が形成される。リブ壁のブッシュ部収容部を挟んで対向する内壁面には、ブッシュ部１０５の第１及び第２の鍔部１０５ａ、１０５ｂがそれぞれ嵌合する第１及び第２の溝部１０８ａ、１０９ａが設けられる。リブ壁の第２の溝部１０８ｂ、１０９ｂは、前面側に隔壁がなく、コード案内部１０６ｂに開放されている。【選択図】図３
2008288633.tif 000002
【特許請求の範囲】
【請求項１】
樹脂製のフロントキャビネットと、
前記フロントキャビネットとともにテレビジョン受像器の筐体を構成する樹脂製のリアキャビネットと、
前記筐体の内部から外部に引き出され、所定の位置にブッシュ部を含む電源コードと、
前記電源コードの所定の位置に設けられ、間隔を置いて平行に並ぶ角盤状の第１及び第２の鍔部を、角柱状の胴部で接続した構造を有するブッシュ部と、
前記フロントキャビネットの前記リアキャビネットに接続する側の縁部近傍箇所に、左右方向で対向する一対のリブ壁に挟まれた空間として形成され、後方のブッシュ部収容部と前方のコード案内部とから構成される凹部と、
前記一対のリブ壁の前記ブッシュ部収容部を挟んで対向する内壁面に形成され、ブッシュ部の前記第１及び第２の鍔部がそれぞれ嵌合する第１及び第２の溝部と、
を備え、
ブッシュ部の前記第１の鍔部は、電源コードの自由端からの距離が前記第２の鍔部よりも近い位置にあり、
一対のリブ壁の前記第１の溝部は、背面側に壁がなく、フロントキャビネットの背後の空間に開放されているテレビジョン受像機において、
ブッシュ部の前記第２の溝部は、前面側に壁がなく、前記コード案内部に開放されていることを特徴とするテレビジョン受像機。
【発明の詳細な説明】
【技術分野】
【０００１】
本発明は、フロントキャビネットに、電源コードのブッシュ部を収容するための凹部を有するテレビジョン受像機に関するものである。
【背景技術】
【０００２】
図７は、従来の液晶テレビジョン受像機の、電源コードのブッシュ部の固定状態を示すフロントキャビネット及びリアキャビネットの一部省略断面図である。図７に示すように、液晶テレビジョン受像機の筐体（キャビネット）１０１は、一体的に組み合わされるフロントキャビネット１０２及びリアキャビネット１０３から構成される。フロントキャビネット１０２には、液晶モジュールやこの液晶モジュールを駆動する駆動回路等が形成された主基板（いずれも不図示）が取り付けられる。主基板上には、駆動回路を構成する各種部品やチューナ等が実装されるとともに、家庭用のＡＣ電源から電力を取るための電源コード１０４の一端が接続されている。
【０００３】
図８は、従来の液晶テレビジョン受像機のフロントキャビネットの、電源コードのブッシュ部を収容するための凹部近傍を表す斜視図である。図８に示すように、電源コード１０４は、所定の位置に、キャビネットからの抜け防止のためのブッシュ部１０５を有する。ブッシュ部１０５は、所定の間隔を置いて平行に並ぶ角盤状の第１及び第２の鍔部１０５ａ、１０５ｂを、角柱状の胴部１０５ｃで接続した構造を有する。ここで、第１の鍔部１０５ａは、電源コード１０４の自由端（家庭用ＡＣコンセントに接続するプラグのついた端部）からの距離が、第２の鍔部１０５ｂよりも近い位置にある。
【０００４】
フロントキャビネット１０２には、リアキャビネット１０３に接続する側の縁部近傍箇所に、電源コード１０４のブッシュ部１０５が収容される凹部１０６を形成している。凹部１０６は、図８に示すように、左右方向で対向する一対のリブ壁１０８、１０９に挟まれた空間に形成されている。凹部１０６は、図９に示すように、後方のブッシュ部収容部１０６ａと、前方のコード案内部１０６ｂとから構成されている。コード案内部１０６ｂの底面には、前方に行くほど高くなるような傾斜部１０７が形成されている。
【０００５】
一対のリブ壁１０８、１０９の、ブッシュ部収容部１０６ａを挟んで対向する部分の内壁面には、ブッシュ部１０５の第１及び第２の鍔部１０５ａ及び１０５ｂがそれぞれ嵌合する、第１の溝部１０８ａ、１０９ａ及び第２の溝部１０８ｂ、１０９ｂが形成されている。第１及び第２の溝部の間に形成される突出部１０８ｃ、１０９ｃは、ブッシュ部１０５の胴部１０５ｃの周囲に嵌合するようになっている。
【０００６】
ここで、第１の溝部１０８ａ、１０９ａは、リブ壁１０８、１０９の後端に形成されている。よって、第１の溝部１０８ａ、１０９ａは、背面側に壁がなく、フロントキャビネット１０２の背後の空間に開放されている。
【０００７】
他方、第２の溝部１０８ｂ、１０９ｂは、背面側だけでなく前面側にも壁がある。よって、リブ壁１０８、１０９には、ブッシュ部収容部１０６ａを挟んで対向する壁面とコード案内部１０６ｂを挟んで対向する壁面との間に段差が生じている。
【０００８】
このため、一対のリブ壁１０８、１０９の、コード案内部１０６ｂを挟んで対向する部分は、壁厚がブッシュ部収容部１０６ａを挟んで対向する部分と比較して厚くなり、成形時に充填される樹脂の流れの不均一を生じやすいため、リアキャビネット１０２の底面壁の外面側に開口する空洞部１０８ａ、１０９ａを形成することにより、その部分の樹脂の厚みをブッシュ部収容部１０６ａを挟んで対向する部分と同程度にまで薄くするようにしている。
【０００９】
電源コード１０４のブッシュ部１０５は、図８に示すように、上方から凹部１０６に収容されることにより、左右の位置決めがなされる。その後、リアキャビネット１０３がフロントキャビネット１０２に合体されることにより、図７に示すように、リアキャビネット１０３に形成された押さえ片１０３ａ及び抜け防止リブ１０３ｂによって上下及び前後の位置決めがなされる。以上により、ブッシュ部１０５はキャビネットに固定される。
【００１０】
図９は、従来の液晶テレビジョン受像機のフロントキャビネットの、凹部の近傍を上から見た平面図である。図１０は、従来の液晶テレビジョン受像機のフロントキャビネットの図８における一点鎖線で切断して見たフロントキャビネット成形工程を示す一部省略断面図である。
【００１１】
フロントキャビネット１０２は、図１０に示すように、雄型１１０と雌型１１１とから成る金型内に溶融した樹脂を注入する、いわゆる射出成形によって作られる。図９にクロスハッチで示すように、第２の溝部１０８ｂ、１０９ｂと空洞部１０８ｄ、１０９ｄは、成形品を金型から取り出すとき、そのままの状態では金型を離型できない部分、いわゆるアンダーカット部となる。従って、そのアンダーカット部にあたる金型の部分を、離型できるように移動させるアンダーカット処理が必要となるが、従来は、図１０に示すように、雌型１１１にスライドコア１１２を取り付けて、成形品の取り出し前に手動でこれを下へ抜いて取り去るようにしていた。
【００１２】
このため、テレビジョン受像機１の筐体１０１を正面（前方）から見ると、フロントキャビネット１０２の底部に、空洞部１０８ｄ、１０９ｄが穴のように見え、見栄えが良くないという問題があった。また、金型サイズが大型化する問題もあった。
【００１３】
なお、特許文献１には、液晶テレビジョン受像機などのディスプレイ装置のフロントキャビネットの成形用金型の改良について記載されているが、電源コードのブッシュ部が収容される凹部の成形方法についてはなんら開示されていない。
【特許文献１】実用新案登録第３１８６０９号公報
【発明の開示】
【発明が解決しようとする課題】
【００１４】
本発明は、上記の問題に鑑みてなされたものであり、正面（前方）から見ても、フロントキャビネットの底部に、穴が見えず、見栄えの良い液晶テレビジョン受像機を提供することを目的とする。
【課題を解決するための手段】
【００１５】
上記目的を達成するために本発明のテレビジョン受像機は、樹脂製のフロントキャビネットと、前記フロントキャビネットとともにテレビジョン受像器の筐体を構成する樹脂製のリアキャビネットと、前記筐体の内部から外部に引き出され、所定の位置にブッシュ部を含む電源コードと、前記電源コードの所定の位置に設けられ、間隔を置いて平行に並ぶ角盤状の第１及び第２の鍔部を、角柱状の胴部で接続した構造を有するブッシュ部と、前記フロントキャビネットの前記リアキャビネットに接続する側の縁部近傍箇所に、左右方向で対向する一対のリブ壁に挟まれた空間として形成され、後方のブッシュ部収容部と前方のコード案内部とから構成される凹部と、前記一対のリブ壁の前記ブッシュ部収容部を挟んで対向する内壁面に形成され、ブッシュ部の前記第１及び第２の鍔部がそれぞれ嵌合する第１及び第２の溝部と、を備え、ブッシュ部の前記第１の鍔部は、電源コードの自由端からの距離が前記第２の鍔部よりも近い位置にあり、一対のリブ壁の前記第１の溝部は、背面側に隔壁がなく、フロントキャビネットの背後の空間に開放されているテレビジョン受像機において、ブッシュ部の前記第２の溝部は、前面側に隔壁がなく、前記コード案内部に開放されていることを特徴としている。
【発明の効果】
【００１６】
本発明によると、フロントキャビネットの成形時、ブッシュ部の前記第２の溝部は、前面側に隔壁がなく、前記コード案内部に開放されているため、コード案内部と第２の溝部とを含む広い凹部の面積の部分をアンダーカット部に設定することができる。従って、雄型にスライドコアを取り付けて、成型品の取り出し前に手動又は自動でこれを上へ抜いて取り去れば、或いは、雌型にアンダーカット部に対応した形状の突起を設けて、成型品の取り出し時に、雌型を前方へ抜いて取り去れば、アンダーカット処理が容易に行える。これにより、正面（前方）から見ても、フロントキャビネットの底部に、穴が見えず、見栄えの良い液晶テレビジョン受像機を提供することができる。
【発明を実施するための最良の形態】
【００１７】
本発明を実施するための最良の形態について図面を参照して説明する。本発明は、フロントキャビネットに設けられる、電源コードのブッシュ部を収容するための凹部の形状に特徴を有するものであり、図７〜図１０に示した従来の液晶テレビジョン受像機と同一部分には同一符号を附して詳細な説明を省略する。
【００１８】
＜第１の実施形態＞
図１は、本発明の第１の実施形態に係る液晶テレビジョン受像機のフロントキャビネットの、電源コードのブッシュ部を収容するための凹部近傍を表す斜視図である。
【００１９】
第１の実施形態では、従来の凹部１０６を構成するリブ壁１０８、１０９（図８参照）と比較して、第２の溝部１０８ｂ、１０９ｂは、前面側に壁がなく、コード案内部１０６ｂに開放された形状を有している。すなわち、リブ壁１０８、１０９は、コード案内部１０６ｂを挟んで対向する壁面と第２の溝部１０８ｂ、１０９ｂが形成された壁面との間に段差がなく、面一となっている。
【００２０】
よって、一対のリブ壁１０８、１０９の、コード案内部１０６ｂを挟んで対向する部分は、従来（図８参照）よりも壁厚を薄くできる。このため、従来のような空洞部１０８ａ、１０９をリブ壁１０８、１０９に設ける必要がなくなる。
【００２１】
図２は、第１の実施形態の液晶テレビジョン受像機のフロントキャビネットの、凹部の近傍を上から見た平面図である。図３は、第１の実施形態の液晶テレビジョン受像機のフロントキャビネットの図１における一点鎖線で切断して見たフロントキャビネット成形工程を示す一部省略断面図である。
【００２２】
第１の実施形態では、リブ壁１０８、１０９が上記の形状を有するため、フロントキャビネットの成形時、図２にクロスハッチで示すように、コード案内部１０６ｂと第２の溝部１０８ｂ、１０９ｂとを含む凹部１０６の広い面積の部分をアンダーカット部に設定することができる。従って、図３に示すように、雄型１１０にスライドコア１１３を取り付けて、成型品の取り出し前に手動又は自動でこれを上へ抜いて取り去れば、アンダーカット処理が容易に行える。
【００２３】
これにより、正面（前方）から見ても、フロントキャビネットの底部に、穴が見えず、見栄えの良い液晶テレビジョン受像機を提供することができる。
【００２４】
＜第２の実施形態＞
図４は、本発明の第２の実施形態に係る液晶テレビジョン受像機のフロントキャビネットの、電源コードのブッシュ部を収容するための凹部近傍を表す斜視図である。図５は、第２の実施形態の液晶テレビジョン受像機のフロントキャビネットの、凹部の近傍を上から見た平面図である。図６は、第２の実施形態の液晶テレビジョン受像機のフロントキャビネットの図４における一点鎖線で切断して見たフロントキャビネット成形工程を示す一部省略断面図である。
【００２５】
第２の実施形態では、第１の実施形態と同様に、リブ壁１０８、１０９の第２の溝部１０８ｂ、１０９ｂは、前面側に壁がなく、コード案内部１０６ｂに開放された形状を有する。さらに、コード案内部１０６ｂの底面は、傾斜部を持たない平坦な面に形成されている。従って、図６に示すように、雌型１１１にアンダーカット部（図５のクロスハッチで示す部分）に対応した形状の突起１１１ａを設けて、成型品の取り出し時に、雌型を前方へ抜いて取り去れば、アンダーカット処理が容易に行える。
【００２６】
これにより、正面（前方）から見ても、フロントキャビネットの底部に、穴が見えず、見栄えの良い液晶テレビジョン受像機を提供することができる。なお、突起の抜き跡としてフロントキャビネットに前面にできる開口１０２ａは、ラベルなどを貼れば隠すことができる。
【産業上の利用可能性】
【００２７】
本発明は、ＣＲＴ方式のテレビジョン受像機、液晶テレビジョン受像機、プラズマテレビジョン受像機などあらゆるテレビジョン受像機において利用することができる。
【図面の簡単な説明】
【００２８】
【図１】は、本発明の第１の実施形態に係る液晶テレビジョン受像機のフロントキャビネットの、電源コードのブッシュ部を収容するための凹部近傍を表す斜視図である。
【図２】は、同上第１の実施形態に係る液晶テレビジョン受像機のフロントキャビネットの、凹部の近傍を上から見た平面図であるである。
【図３】は、同上第１の実施形態の液晶テレビジョン受像機のフロントキャビネットの図２における一点鎖線で切断して見たフロントキャビネット成形工程を示す一部省略断面図である。
【図４】は、本発明の第２の実施形態に係る液晶テレビジョン受像機のフロントキャビネットの、電源コードのブッシュ部を収容するための凹部近傍を表す斜視図である。
【図５】は、同上第２の実施形態に係る液晶テレビジョン受像機のフロントキャビネットの、凹部の近傍を上から見た平面図であるである。
【図６】は、同上第２の実施形態の液晶テレビジョン受像機のフロントキャビネットの図４における一点鎖線で切断して見たフロントキャビネット成形工程を示す一部省略断面図である。
【図７】は、従来の液晶テレビジョン受像機の、電源コードのブッシュ部の固定状態を示すフロントキャビネット及びリアキャビネットの一部省略断面図である。
【図８】は、同上従来の液晶テレビジョン受像機のフロントキャビネットの、電源コードのブッシュ部を収容するための凹部近傍を表す斜視図である。
【図９】は、同上従来の液晶テレビジョン受像機のフロントキャビネットの、凹部の近傍を上から見た平面図である。
【図１０】は、同上従来の液晶テレビジョン受像機のフロントキャビネットの図８における一点鎖線で切断して見たフロントキャビネット成形工程を示す一部省略断面図である。
【符号の説明】
【００２９】
１０１    液晶テレビジョン受像機の筐体（キャビネット）
１０２    フロントキャビネット
１０３    リアキャビネット
１０４    電源コード
１０５    ブッシュ部
１０５ａ  第１の鍔部
１０５ｂ  第２の鍔部
１０５ｃ  胴部
１０６    凹部
１０６ａ  ブッシュ部収容部
１０６ｂ  コード案内部
１０８、１０９  リブ壁
１０８ａ、１０９ａ  第１の溝部
１０８ｂ、１０９ｂ  第２の溝部
１０８ｃ、１０９ｃ  突出部
１０８ｄ、１０９ｄ  空洞部
１１０  フロントキャビネット成型用金型の雄型
１１０ａ  突出部
１１１  フロントキャビネット成型用金型の雌型
１１２  スライドコア
１１３  スライドコア
【図１】
2008288633.tif 000003
【図２】
2008288633.tif 000004
【図３】
2008288633.tif 000005
【図４】
2008288633.tif 000006
【図５】
2008288633.tif 000007
【図６】
2008288633.tif 000008
【図７】
2008288633.tif 000009
【図８】
2008288633.tif 000010
【図９】
2008288633.tif 000011
【図１０】
2008288633.tif 000012